(57)【特許請求の範囲】
【請求項１】
居住者を呼び出すための呼出ボタンと、来訪者を撮像するカメラとを有し、呼出操作を受けたら住戸内に設置されている居室親機に対して呼出信号を伝送すると共に、前記カメラの撮像映像を伝送するテレビドアホンシステムの玄関子機であって、
前記カメラのレンズユニットは、画角１８０度以上の広角なエリアを撮像する複数のレンズから成る広角レンズ群と、前記広角レンズ群を支持するレンズ鏡枠と、前記レンズ鏡枠を玄関子機のケースに支持するためのレンズホルダとで構成され、
前記広角レンズ群の最前部に配置されたレンズは、レンズカバーを兼ねて前記ケースのカメラ窓から露出して配置されると共に、前記レンズ鏡枠が前記カメラ窓周囲のケースとの間で弾性部材を介して防水構造を形成するための密着片を備え、
更に前記レンズ鏡枠と前記レンズホルダとは、相互にネジ溝を有して螺合により連結される一方、前記密着片は円盤状に形成されて周囲側部に周期的な凹凸を有することを特徴とするテレビドアホンシステムの玄関子機。
【請求項２】
前記密着片は露出するレンズ鏡枠先端の外径より大きく、２０ｍｍφ以上の径で形成されて成ることを特徴とする請求項１記載のテレビドアホンシステムの玄関子機。
【発明の詳細な説明】
【技術分野】
【０００１】
本発明は、インターホンシステムの玄関子機に関し、詳しくは玄関子機にカメラを設けて玄関の状況を居室親機のモニタで確認できるテレビドアホンシステムの玄関子機に関する。
【背景技術】
【０００２】
防犯ニーズの高まりから、来訪者の呼出時において来訪者を玄関子機のカメラで撮像し、その映像を居室親機のモニタで表示させ、居住者がモニタを見て来訪者を判別した後に応答する機能や、留守中に訪れた来訪者を録画して帰宅後にモニタにて確認する機能を備えたテレビドアホンシステムが普及している。
また、近年ではカメラの死角をなくすため、画角１８０度以上の広角レンズを備えたカメラで撮像し、見たい場所を電子ズームしたり、パン／チルトして確認できるテレビドアホンシステムも登場している（例えば、特許文献１参照）。
【０００３】
図５は広角レンズを備えた従来の玄関子機の横断面説明図を示し、カメラ部の断面を示している。図５において、３１はカメラ３０のレンズ、３２はレンズを保護するレンズカバー、３３は玄関子機のケースである。この図５に示すように、レンズ３１はケース３３前面から突出し、レンズカバー３２はその前方に円弧状に突出して形成されている。
【先行技術文献】
【特許文献】
【０００４】
【特許文献１】特開２０１０−９３６４８号公報
【発明の概要】
【発明が解決しようとする課題】
【０００５】
画角１８０度以上のこの種のカメラは、玄関子機ケース３３の映り込みを防ぐために、玄関子機ケース３３の表面位置よりレンズ天頂を突出させる必要がある。そのため、図５に示すようにレンズカバー３２が前方に大きく突出した形状となり傷つき易く、カメラ３０の解像度を低下させるなど映像品位を劣化させる要因となっていた。
また、玄関子機のように太陽光線があたり易い場所に設置されるカメラ３０は、レンズカバー３２の界面で発生する太陽光の反射が、有害なゴーストやフレアの原因になり、更に映像品位を劣化させていた。
【０００６】
そこで、本発明はこのような問題点に鑑み、太陽光が直接あたっても、有害なフレアやゴーストを低減でき、居室親機のモニタから表示されるカメラ撮像映像の視認性を確保できるテレビドアホンシステムの玄関子機を提供することを目的としている。
【課題を解決するための手段】
【０００７】
上記課題を解決する為に、請求項１の発明は、居住者を呼び出すための呼出ボタンと、来訪者を撮像するカメラとを有し、呼出操作を受けたら住戸内に設置されている居室親機に対して呼出信号を伝送すると共に、カメラの撮像映像を伝送するテレビドアホンシステムの玄関子機であって、カメラのレンズユニットは、画角１８０度以上の広角なエリアを撮像する複数のレンズから成る広角レンズ群と、広角レンズ群を支持するレンズ鏡枠と、レンズ鏡枠を玄関子機のケースに支持するためのレンズホルダとで構成され、広角レンズ群の最前部に配置されたレンズは、レンズカバーを兼ねてケースのカメラ窓から露出して配置されると共に、レンズ鏡枠がカメラ窓周囲のケースとの間で弾性部材を介して防水構造を形成するための密着片を備え、更にレンズ鏡枠とレンズホルダとは、相互にネジ溝を有して螺合により連結される一方、密着片は円盤状に形成されて周囲側部に周期的な凹凸を有することを特徴とする。
この構成によれば、カメラレンズはケースから露出した状態で固定されるため、周囲の光は直接レンズに入射し、側方からの光であってもフレアやゴーストが発生することがなく、カメラ側方の映像であっても明瞭な映像を出力できる。また、カメラ窓は弾性部材と密着片により封止でき、レンズカバーが無くても雨水等の浸入の恐れがない。
更に、レンズ鏡枠とレンズホルダとの螺合状態を回転して変更することでレンズの軸方向の長さを変更でき、フォーカス調整ができる。そしてこの回転操作は密着片の外周に形成した周期的な凹凸を利用してスムーズに実施できる。
【０００８】
尚、レンズユニットの最前部に配置されるレンズは、ガラスレンズであれば十分な強度を有するためカバーが無くても傷は付き難いし、プラスチックレンズであっても近年の表面加工技術の向上により十分な強度を得ることができ、カバーが無くても傷がつき難く、そのようなレンズを使用することでカバーを無くすことが可能である。
【００１０】
請求項２の発明は、請求項１に記載の構成において、密着片は露出するレンズ鏡枠先端の外径より大きく、２０ｍｍφ以上の径で形成されて成ることを特徴とする。
この構成によれば、密着片は大きな径を有するため、密着面が広く十分な密着エリアを確保できるし回転操作もし易い。
【発明の効果】
【００１１】
本発明によれば、カメラレンズはケースから露出した状態で固定されるため、周囲の光は直接レンズに入射し、側方からの光であってもフレアやゴーストが発生することがなく明瞭な映像で撮像できる。また、カメラ窓は弾性部材と密着片により封止でき、レンズカバーが無くても、雨水等の浸入の恐れがない。
【図面の簡単な説明】
【００１２】
【図１】本発明に係る玄関子機の一例を示す正面図である。
【図２】Ａ−Ａ線断面説明図である。
【図３】Ｂ部拡大図である。
【図４】レンズを収容したレンズ鏡枠を示し、（ａ）は平面図、（ｂ）は側面図である。
【図５】従来の玄関子機の断面説明図である。
【発明を実施するための形態】
【００１３】
以下、本発明を具体化した実施の形態を、図面を参照して詳細に説明する。図１は本発明に係るテレビドアホンシステムの玄関子機の一例を示す正面図であり、玄関子機１は居住者を呼び出すための呼出ボタン２、来訪者を撮像するためのカメラ３を備え、通話するためのマイク４及びスピーカ５がケース６の内部に設けられている。
テレビドアホンシステムは、玄関等の戸外に設置したこの玄関子機１と、住戸内に設置されて呼び出しに対して応答するため居室親機（図示せず）とで構成される。
【００１４】
図２は図１のＡ−Ａ線断面説明図、図３はＢ部の拡大図を示し、カメラ３の断面を示している。カメラ３は、レンズユニット１０と撮像素子１１、そして図示しないメモリやＤＳＰ等で構成され、レンズユニット１０は、複数のレンズで構成されるレンズ群１２、このレンズ群１２を収容して支持するレンズ鏡枠１３、レンズ鏡枠１３を固定するレンズホルダ１４により構成されている。
【００１５】
レンズ群１２は、画角１８０度以上の広角レンズ群であり、カメラ３は１８０度以上の範囲を撮像する広角カメラとなっている。そして、撮像素子１１からの出力信号をメモリに保存するとともに、ＤＳＰにて歪み補正して所望の画像が居室親機に送出される。
レンズホルダ１４はネジ止め孔１４ａを有し、ネジ１５により基板１６に固定される。
【００１６】
レンズ鏡枠１３は、円筒状に形成されたレンズ収納部１３ａを有し、その先端部近傍の周囲にはケース６に形成したカメラ窓１７の隙間を気密封止して雨水の浸入を防止するための密着片１３ｂがフランジ状に周設されている。密着片１３ｂは板状に形成され、この前面にリング状の弾性部材１８を配置してケース６の背部に密着させることで、開口されたカメラ窓１７が気密封止される。尚、ケース６のカメラ窓１７の裏面には、後方に突出した環状突起１９が形成され、弾性部材１８の密着を確実なものにしている。
【００１７】
図４はレンズ群１２を収容したレンズ鏡枠１３を示し、（ａ）は平面図、（ｂ）は側面図を示している。図４に示すように、密着片１３ｂの径Ｗ２はレンズ鏡枠１３のケース６から露出する先端径Ｗ１に対して大きな径で形成され、更に密着片１３ｂの周囲側部には周期的な切り欠き１３ｃが形成されている。具体的に、レンズ鏡枠１３の先端径Ｗ１＝１６ｍｍφ、密着片１３ｂの径Ｗ２＝２３ｍｍφで形成され、切り欠き１３ｃは４５°の等間隔で形成されている。
【００１８】
また、レンズ鏡枠１３の撮像素子１１側である密着片１３ｂの下部は、ネジ溝が設けられて雄ねじ部１３ｄを形成している。一方、この雄ねじ部１３ｄに対向するレンズホルダ１４には、雌ねじが形成（図示せず）され、レンズホルダ１４とレンズ鏡枠１３とは螺合して連結されている。こうして、レンズホルダ１４がレンズ鏡枠１３を螺合により保持することで、フォーカス調整を可能としている。
【００１９】
このように、レンズ鏡枠１３の先端径Ｗ１に対して密着片１３ｂの径Ｗ２を大きくすることで、ケース６との間で十分な密着エリアを確保すると共に、レンズ鏡枠１３の回転操作をし易くしている。特に、密着片１３ｂの外周に４５°ごとに切り欠き１３ｃを設けたことで、回転工具を係合させ易く、フォーカス調整がし易いし自動化調整機能にも拡張し易い。
尚、レンズ鏡枠１３の径Ｗ１と密着片１３ｂの径Ｗ２の関係は、Ｗ２がＷ１より大きければカメラ窓１７の隙間を気密封止することは可能であるが、密着片１３ｂの径Ｗ２が２０ｍｍφ以上であれば、回転操作し易いし弾性部材１８の密着も良好となり、利便性が良い。
【００２０】
そして、玄関子機１のケース６は、図２に示すように玄関子機１の前面側を形成する上ケース６ａと壁側となる背部を形成する下ケース６ｂとで構成され、カメラ３が固定された基板１６は、上ケース６ａに組み付けられると、レンズ群１２のうち最前部のレンズ１２ａ（図３に示す）は上ケース６ａのカメラ窓１７から露出し、更に下ケース６ｂを組み付けることで、密着片１３ｂと上ケース６ａとで弾性部材１８が圧縮され、カメラ窓１７の気密性が維持される。
尚、最前部のレンズ１２ａは表面加工により高い表面強度を備えたプラスチックレンズが使用されている。また７は基台であり、ケース６を露出させて壁面に設置する場合等に使用される。
【００２１】
このように、カメラ３のレンズ群１２の最前部のレンズ１２ａは、ケース６から露出した状態で固定されるため、周囲の光は直接レンズに入射し、側方からの光であってもフレアやゴーストが発生することがなく、カメラ３の側方の映像であっても明瞭な映像を出力でき、居室親機のモニタの視認性を向上することができる。
また、カメラ窓１７は弾性部材１８と密着片１３ｂにより封止でき、レンズカバーが無くても雨水等の浸入の恐れがないし、レンズ鏡枠１３とレンズホルダ１４との螺合状態を回転してレンズ群１２の軸方向の長さを変更できるので、フォーカス調整ができる。
更に、この回転操作は密着片１３ｂの外周に形成した周期的な凹凸を利用してスムーズに実施できるし、密着片１３ｂは大きな径を有するため、回転操作し易いし密着面が広く十分な密着エリアを確保できる。
【００２２】
尚、上記実施形態では、密着片１３ｂを平坦な面で形成したが、弾性部材１８の密着面にケース６に設けた環状突起１９に合わせてレンズの光軸を中心にリング状に凹凸を設けて弾性部材１８の密着性を更に上げても良い。また、密着片１３ｂは円盤状に形成したが、四角形であっても良いし多角形としても良い。
【符号の説明】
【００２３】
１・・玄関子機、２・・呼出ボタン、３・・カメラ、６・・ケース、１０・・レンズユニット、１２・・レンズ群（広角レンズ群）、１２ａ・・最前部のレンズ、１３・・レンズ鏡枠、１３ｂ・・密着片、１３ｃ・・切り欠き、１４・・レンズホルダ、１７・・カメラ窓、１８・・弾性部材。
【図１】
0005841861.tif 000002
【図２】
0005841861.tif 000003
【図３】
0005841861.tif 000004
【図４】
0005841861.tif 000005
【図５】
0005841861.tif 000006